(57)【特許請求の範囲】
【請求項１】
複数の外部側面パネルと、前記複数の外部側面パネルの内側に前記複数の外部側面パネルとの間に間隙を介在させて配置された複数の内部側面パネルと、かご床と、天井パネルとを有し、前記複数の外部側面パネルの上端部が、それぞれ前記天井パネルに固定され、前記複数の外部側面パネルの下端部が、それぞれ前記かご床に固定された乗りかごにおいて、
前記複数の内部側面パネルの上端部は、それぞれ前記外部側面パネルに固定され、前記複数の内部側面パネルの下端部は、前記かご床又は前記複数の外部側面パネルに固定されており、
前記複数の内部側面パネルは、パネル本体と、前記パネル本体と前記外部側面パネルを連結する連結部とを有し、
前記連結部は、前記複数の内部側面パネル、前記天井パネル及び前記かご床に囲まれた空間に露出されている
ことを特徴とする乗りかご。
【請求項２】
前記パネル本体の上端と前記天井パネルとの間には、空隙が形成されており、
前記外部側面パネルの上部は、前記空隙に対向している
ことを特徴とする請求項１に記載の乗りかご。
【請求項３】
前記複数の内部側面パネル、前記天井パネル及び前記かご床に囲まれた空間と、前記複数の内部側面パネルと前記複数の外部側面パネルとの間に形成された空間とを連通させる通気口を備え、
前記通気口は、前記連結部と前記複数の外部側面パネルによって形成されている
ことを特徴とする請求項２に記載の乗りかご。
【請求項４】
前記連結部は、前記パネル本体に対して着脱可能に構成されている
ことを特徴とする請求項２又は３に記載の乗りかご。
【請求項５】
釣合おもりと、
複数の外部側面パネルと、前記複数の外部側面パネルの内側に前記複数の外部側面パネルとの間に間隙を介在させて配置された複数の内部側面パネルと、かご床と、天井パネルとを有し、前記複数の外部側面パネルの上端部が、それぞれ前記天井パネルに固定され、前記複数の外部側面パネルの下端部が、それぞれ前記かご床に固定された乗りかごと、
前記釣合おもり及び前記乗りかごを吊持する主ロープと、
前記主ロープが巻き掛けられ、前記主ロープを駆動して前記釣合おもり及び前記乗りかごを昇降させる巻上機を備えたエレベータ装置において、
前記乗りかごにおける前記複数の内部側面パネルの上端部は、それぞれ前記外部側面パネルに固定され、前記複数の内部側面パネルの下端部は、前記かご床又は前記複数の外部側面パネルに固定されており、
前記複数の内部側面パネルは、パネル本体と、前記パネル本体と前記外部側面パネルを連結する連結部とを有し、
前記連結部は、前記複数の内部側面パネル、前記天井パネル及び前記かご床に囲まれた空間に露出されている
ことを特徴とするエレベータ装置。
【発明の詳細な説明】
【技術分野】
【０００１】
本発明は、乗りかご及びエレベータ装置に関する。
【背景技術】
【０００２】
エレベータ装置は、昇降路内に配置されており、乗客が搭乗する乗りかごと、乗りかごを昇降させる巻上機等を備えている。エレベータ装置の乗りかごとしては、例えば、特許文献１に記載されている。特許文献１に記載された乗りかごは、乗客が搭乗する空間内の気圧を制御する気圧制御装置を有し、外側パネルと、内側パネルと、通気手段と、を備えている。
【０００３】
外側パネルは、乗りかごを気密に形成している。内側パネルは、外側パネルに対して隙間を開けて乗りかごの内部に配設され、乗客が搭乗する空間の内壁面のうち少なくとも側壁面を形成している。通気手段は、内側パネルと外側パネルとの間の隙間空間と乗客が搭乗する空間とを通気している。
【先行技術文献】
【特許文献】
【０００４】
【特許文献１】特開２００２−９６９８３号公報
【発明の概要】
【発明が解決しようとする課題】
【０００５】
しかし、特許文献１に記載された乗りかごは、外側パネルの上端を天井に固定し、外側パネルの下端をかご床に固定している。また、内側パネルの上端を天井に固定し、内側パネルの下端をかご床に固定している。そのため、かご床に載った状態で、外側パネル及び下側パネルに天井を取り付けることが難しかった。
【０００６】
例えば、外側パネルの下部をかご床に固定し、その後、外側パネルの上部を天井に固定すると、外側パネル、天井及びかご床で囲まれた空間内（以下、「外側パネル空間内」と言う）に、内側パネルを搬入する作業が煩雑になる。また、外側パネル空間内に内側パネルを搬入できたとしても、その内側パネルを外側パネルとの間に隙間を形成した状態で直立させようとすると、内側パネルの上部と天井が干渉してしまう。
【０００７】
したがって、外側パネルと内側パネルの下部をかご床に固定してから、外側パネルと内側パネルの上部に天井を固定することが一般的である。しかし、その場合は、外側パネルの上部と天井を固定する作業は、かご床の外側で行うことになる。したがって、特許文献１に記載された乗りかごを組み立てる場合には、昇降路内に足場（作業用床）を設ける必要があった。そして、昇降路内に足場（作業用床）を設けることで、足場を構成する部材と、足場を組み立てるための時間が必要になり、乗りかごの組立作業が煩雑になっていた。
【０００８】
本発明の目的は、上記従来技術における実情を考慮し、かご床に載った状態で組立作業を行うことができる乗りかご、及びその乗りかごを備えるエレベータ装置を提供することにある。
【課題を解決するための手段】
【０００９】
上記課題を解決し、本発明の目的を達成するため、本発明の乗りかごは、複数の外部側面パネルと、複数の外部側面パネルの内側に複数の外部側面パネルとの間に間隙を介在させて配置された複数の内部側面パネルと、かご床と、天井パネルとを有している。複数の外部側面パネルの上端部は、それぞれ天井パネルに固定され、複数の外部側面パネルの下端部は、それぞれかご床に固定されている。そして、複数の内部側面パネルの上端部は、それぞれ外部側面パネルに固定され、複数の内部側面パネルの下端部は、それぞれかご床又は複数の外部側面パネルに固定されている。複数の内部側面パネルは、パネル本体と、パネル本体と外部側面パネルを連結する連結部とを有する。連結部は、複数の内部側面パネル、天井パネル及びかご床に囲まれた空間に露出されている。
【００１０】
また、本発明のエレベータ装置は、釣合おもりと、上述の構成を有する乗りかごと、釣合おもり及び乗りかごを吊持する主ロープと、主ロープが巻き掛けられ、主ロープを駆動して釣合おもり及び乗りかごを昇降させる巻上機を備えている。
【発明の効果】
【００１１】
上記構成の乗りかご及びエレベータ装置によれば、かご床に載った状態で乗りかごの組立作業を行うことができる。
上記した以外の課題、構成及び効果は、以下の実施形態の説明により明らかにされる。
【図面の簡単な説明】
【００１２】
【図１】本発明の第１の実施形態に係るエレベータ装置の全体構成例を示す構成図である。
【図２】本発明の第１の実施形態に係る乗りかごの構成例を示す構成図である。
【図３】本発明の第１の実施形態に係る乗りかごの要部詳細図である。
【図４】本発明の第１の実施形態に係る乗りかごの上部を示す拡大図である。
【図５】本発明の第１の実施形態に係る乗りかごの上部を示す斜視図である。
【図６】本発明の第１の実施形態に係る乗りかごの下部を示す拡大図である。
【図７】本発明の第２の実施形態に係る乗りかごの上部を示す拡大図である。
【図８】本発明の第２の実施形態に係る乗りかごの上部を示す斜視図である。
【発明を実施するための形態】
【００１３】
以下、本発明の乗りかご及びエレベータ装置を実施するための形態について、図１〜図８を参照して説明する。なお、各図において共通の部材には、同一の符号を付している。
【００１４】
１.第１の実施形態
＜エレベータ装置＞
まず、第１の実施形態に係るエレベータ装置の構成について、図１を参照して説明する。
図１は、本発明の第１の実施形態に係るエレベータ装置の全体構成例を示す構成図である。
【００１５】
図１に示すように、エレベータ装置１は、昇降路１００内に配置されており、乗りかご２と、釣合おもり３と、主ロープ４と、巻上機ユニット５と、複数のプーリ６とを備えている。
【００１６】
乗りかご２は、複数のスライダ１２を有している。これら複数のスライダ１２は、昇降路１００に設けられたガイドレール（不図示）に摺動可能に係合する。したがって、乗りかご２は、ガイドレールに案内されて昇降路１００内を昇降する。また、ガイドレールには、潤滑剤（不図示）が塗布されている。潤滑剤（不図示）は、ガイドレールと複数のスライダ１２との間に介在され、ガイドレールと複数のスライダ１２との間に生じる摩擦抵抗を低くする。
【００１７】
釣合おもり３は、複数のスライダ１３を有している。これら複数のスライダ１３は、昇降路１００に設けられたガイドレール（不図示）に摺動可能に係合する。したがって、釣合おもり３は、ガイドレールに案内されて昇降路１００内を昇降する。また、ガイドレールには、潤滑剤（不図示）が塗布されている。潤滑剤（不図示）は、ガイドレールと複数のスライダ１３との間に介在され、ガイドレールと複数のスライダ１３との間に生じる摩擦抵抗を低くする。
【００１８】
乗りかご２及び釣合おもり３は、主ロープ４に釣り下がっている。巻上機ユニット５は、昇降路１００の上部に配置された機械室７に固定されている。この巻上機ユニット５は、機械室７に固定された制御装置８の運転信号によって駆動されている。
【００１９】
巻上機ユニット５は、綱車１５を有する巻上機１４を有している。この巻上機１４の綱車１５には、主ロープ４が巻き掛けられており、乗りかご２と釣合おもり３が主ロープ４によってつるべ式に繋がっている。巻上機１４は、綱車１５を回転させることにより、主ロープ４を摩擦駆動して、乗りかご２及び釣合おもり３を昇降させる。
【００２０】
複数のプーリ６は、巻上機１４での乗りかご位置に伴う主ロープ４の重量アンバランスを補償する補償ロープ９の下端と、巻上機１４の側部に回転可能に取り付けられている。各プーリ６には、主ロープ４、補償ロープ９が巻き掛けられている。
【００２１】
＜乗りかご＞
次に、乗りかご２について、図２〜図６を参照して説明する。
図２は、乗りかご２の構成例を示す構成図である。
【００２２】
図２に示すように、乗りかご２は、かご床２１と、複数の外部側面パネル２２と、複数の内部側面パネル２３と、天井パネル２４とを備えている。かご床２１は、適当な厚みを有する略四角形の板状に形成されている。かご床２１の一方の平面２１ａは、天井パネル２４と対向しており、他方の平面２１ｂは、下方を向いている。
【００２３】
天井パネル２４は、略四角形の板状に形成された天井本体２６と、天井本体２６に取り付けられた吊り下げ部材２７とを有する。天井本体２６の一方の平面２６ａは、上方を向いており、他方の平面２６ｂは、かご床２１の平面２１ａと対向している。吊り下げ部材２７は、天井本体２６の平面２６ｂに取り付けられている。吊り下げ部材２７には、例えば、照明が設けられている。
【００２４】
複数の外部側面パネル２２は、乗りかご２の外壁を形成している。複数の外部側面パネル２２の下端部は、それぞれかご床２１の平面２１ａに固定されており、複数の外部側面パネル２２の上端部は、それぞれ天井本体２６の平面２６ｂに固定されている。
【００２５】
一方、複数の内部側面パネル２３は、複数の外部側面パネル２２との間に所定の間隙２５を空けて配置されており、乗りかご２の内壁を形成している。複数の内部側面パネル２３の下端部は、それぞれかご床２１の平面２１ａに固定されており、複数の内部側面パネル２３の上端部は、それぞれ複数の外部側面パネル２２の上端部に固定されている。
【００２６】
図３は、乗りかご２の要部詳細図である。図４は、乗りかご２の上部を示す拡大図である。図５は、乗りかご２の上部を示す斜視図である。図６は、乗りかご２の下部を示す拡大図である。
【００２７】
図３〜図６に示すように、外部側面パネル２２は、側板３１と、複数の縦補強材３２と、複数の横補強材３３と、外部上端金具３４と、外部下端金具３５とを有している。
【００２８】
側板３１は、略四角形の板体であり、外部側面パネル２２の外装を形成している。複数の縦補強材３２は、それぞれ柱状に形成されており、水平方向に適当な間隔をあけて並んでいる。この縦補強材３２は、例えば、水平方向の断面が略Ｃ字状に形成されており、側板３１の外装面と反対側の平面に固定されている。複数の横補強材３３は、水平方向に延びる略長方形の板状に形成されている。これら横補強材３３は、水平方向に並ぶ複数の縦補強材３２の上端及び下端に固定されている。
【００２９】
図４及び図５に示すように、外部上端金具３４は、金具本体３７と、金具本体３７に連続する連結片３８及び固定片３９とを備えている。金具本体３７は、鉛直方向の断面が略Ｃ字状に形成されており、上下方向に対向する上板部４１及び下板部４２と、上板部４１及び下板部４２を接続する接続板部４３とを有している。
【００３０】
金具本体３７の上板部４１は、天井パネル２４の天井本体２６にねじなどの適当な固定手段を用いて固定されている。すなわち、外部上端金具３４は、天井パネル２４に固定手段を用いて固定されている（図４参照）。金具本体３７の開口は、乗りかご２の室内空間側に向いている。したがって、外部上端金具３４と天井パネル２４との固定は、かご床２１に載った状態で行うことができる。下板部４２には、横補強材３３がねじや溶接などの固定手段を用いて固定されており、接続板部４３には、側板３１がねじや溶接などの適当な固定手段を用いて固定されている。
【００３１】
連結片３８は、金具本体３７の上板部４１に連続して下方に突出しており、接続板部４３と平行な板状に形成されている。この連結片３８には、複数の内部側面パネル２３の後述する連結部材６２が連結される。固定片３９は、金具本体３７の下板部４２に連続して下方に突出しており、接続板部４３と平行な板状に形成されている。この固定片３９は、複数の縦補強材３２にねじや溶接などの固定手段を用いて固定されている。
【００３２】
図６に示すように、外部下端金具３５は、外部上端金具３４と同様の構成を有しており、金具本体４７と、金具本体４７に連続する立上り片４８及び固定片４９とを備えている。金具本体４７は、鉛直方向の断面が略Ｃ字状に形成されており、上下方向に対向する上板部５１及び下板部５２と、上板部５１及び下板部５２を接続する接続板部５３とを有している。
【００３３】
金具本体４７の上板部５１には、横補強材３３がねじや溶接などの固定手段を用いて固定されており、接続板部５３には、側板３１がねじや溶接などの適当な固定手段を用いて固定されている。下板部５２は、かご床２１にねじなどの適当な固定手段を用いて固定されている。すなわち、外部下端金具３５は、かご床２１に固定手段を用いて固定されている。金具本体４７の開口は、乗りかご２の室内空間側に向いている。したがって、外部下端金具３５とかご床２１との固定は、かご床２１に載った状態で行うことができる。
【００３４】
固定片４９は、金具本体４７の上板部５１に連続して上方に突出しており、接続板部５３と平行な板状に形成されている。この固定片４９は、複数の縦補強材３２にねじや溶接などの固定手段を用いて固定されている。また、立上り片４８は、金具本体４７の下板部５２に連続して上方に突出しており、接続板部５３と平行な板状に形成されている。
【００３５】
図３〜図６に示すように、内部側面パネル２３は、パネル本体６１と、パネル本体６１に着脱可能に取り付けられた連結部材６２とを備えている。この連結部材６２は、本発明に係る連結部の第１の具体例を示す。
【００３６】
パネル本体６１は、内装板７１と、複数の縦補強７２と、複数の横補強７３と、内部上端金具７４と、内部下端金具７５とを有している。このパネル本体６１の高さ方向の長さは、外部側面パネル２２の高さ方向の長さよりも短い（図３参照）。
【００３７】
内装板７１は、略四角形の板体であり、内部側面パネル２３の内装を形成している。複数の縦補強７２は、例えば、水平方向の断面が略Ｃ字状に形成されている。複数の縦補強７２は、水平方向に適当な間隔をあけて並んでおり、それぞれ内装板７１の内装面と反対側の平面に固定されている。複数の横補強７３は、水平方向に延びる略長方形の板状に形成されている。これら横補強７３は、水平方向に並ぶ複数の縦補強７２の上端及び下端に固定されている。
【００３８】
図４及び図５に示すように、内部上端金具７４は、金具本体７７と、金具本体７７に連続する固定片７８とを備えている。金具本体７７は、鉛直方向の断面が略Ｃ字状に形成されており、上下方向に対向する上板部８１及び下板部８２と、上板部８１及び下板部８２を接続する接続板部８３とを有している。
【００３９】
金具本体７７の上板部８１には、連結部材６２がねじなどの適当な固定手段を用いて固定されている。下板部８２には、横補強７３がねじや溶接などの固定手段を用いて固定されており、接続板部８３には、内装板７１がねじや溶接などの適当な固定手段を用いて固定されている。
【００４０】
固定片７８は、金具本体７７の下板部８２に連続して下方に突出しており、接続板部８３と平行な板状に形成されている。この固定片７８は、複数の縦補強７２にねじや溶接などの固定手段を用いて固定されている。
【００４１】
図６に示すように、内部下端金具７５は、内部上端金具７４と同様の構成を有しており、金具本体８７と、金具本体８７に連続する固定片８８とを備えている。金具本体８７は、鉛直方向の断面が略Ｃ字状に形成されており、上下方向に対向する上板部９１及び下板部９２と、上板部９１及び下板部９２を接続する接続板部９３とを有している。
【００４２】
金具本体８７の上板部９１には、横補強７３がねじや溶接などの固定手段を用いて固定されており、接続板部９３には、内装板７１がねじや溶接などの適当な固定手段を用いて固定されている。下板部９２は、複数のジスタントピース９５を介してパネル支持部材９６に固定されている。
【００４３】
固定片８８は、金具本体８７の上板部９１に連続して上方に突出しており、接続板部９３と平行な板状に形成されている。この固定片８８は、複数の縦補強７２にねじや溶接などの固定手段を用いて固定されている。
【００４４】
パネル支持部材９６は、基礎台９７と、幅木９８と、幅木９８を基礎台９７に取り付けるための締結材９９とを有している。基礎台９７は、鉛直方向の断面が略Ｃ字状に形成されており、開口が乗りかご２の室内空間側に向いている。基礎台９７及び幅木９８の幅方向の長さは、内部側面パネル２３の幅方向の長さと略等しい。
【００４５】
幅木９８は、鉛直方向の断面が略Ｌ字状に形成されており、鉛直方向に略垂直な固定板９８ａと、水平方向に略垂直な化粧板９８ｂとを有している。固定板９８ａは、かご床２１の一方の平面２１ａに固定されている。化粧板９８ｂの上下方向の長さは、基礎台９７の上下方向の長さより長い。この化粧板９８ｂは、基礎台９７の開口に対向しており、パネル支持部材９６の体裁面（乗客から見える面）を形成している。
【００４６】
締結材９９は、基礎台９７の開口内に配置され、基礎台９２に固定されている。この締結材９９は、隙間調整スペーサを挟んだ磁石であり、幅木９８は、締結材９９を用いて基礎台９７に取り付けられている。
【００４７】
なお、幅木９８の基礎台９７に対する取り付けは、隙間調整スペーサを挟んだ磁石を用いることに限定されるものではなく、その他の固定方法を用いて幅木９８を基礎台９７に取り付けるようにしてもよい。その他の固定方法としては、例えば、ねじを用いる方法、接着剤を用いる方法、カシメ材を用いる方法等を挙げることができる。
【００４８】
複数のジスタントピース９５は、内部側面パネル２３における内部下端金具７５の下板部９２と基礎台９７との間に介在されている。これら複数のジスタントピース９５は、パネル支持部材９６のように内部側面パネル２３の幅方向に連続的に配置されるものではなく、内部側面パネル２３の幅方向に適当な間隔をあけて並んでいる。このため、内部下端金具７５の下板部９２と基礎台９７との間には、連通部が形成されている。この連通部を通して、外部側面パネル２２と内部側面パネル２３との間に形成された間隙２５と、乗りかご２の室内空間とが連通されている。
【００４９】
図５に示すように、連結部材６２は、鉛直方向の側面が略Ｌ字状に形成されており、ベース部６５と、ベース部６５から略垂直に突出する複数の連結部６６とを有している。ベース部６５は、略長方形の板体であり、一方の平面がパネル本体６１における内部上端金具７４の上板部８１に当接している。そして、ベース部６５は、内部上端金具７４の上板部８１にねじなどの適当な固定手段を用いて固定されている。
【００５０】
複数の連結部６６は、ベース部６５の一方の長辺に連続しており、ベース部６５の長辺に沿って適当な距離をあけて並んでいる。各連結部６６は、ベース部６５に対して略垂直に突出する板状に形成されており、一方の平面が外部側面パネル２２における外部上端金具３４の連結片３８に当接している。そして、各連結部６６は、外部上端金具３４の連結片３８にねじなどの適当な固定手段を用いて固定されている。
【００５１】
連結部材６２の幅方向の長さ（ベース部６５の長辺に沿う長さ）は、内部側面パネル２３の幅方向の長さ（金具本体７７の上板部８１が伸びる方向の長さ）よりも短い。そのため、連結部材６２の両側には、外部側面パネル２２と内部側面パネル２３との間に形成された間隙２５と、乗りかご２の室内空間との間を連通する連通部が形成される。また、複数の連結部６６間には、間隙２５と乗りかご２の室内空間との間を連通する通気口６８が形成される。
【００５２】
したがって、外部側面パネル２２と内部側面パネル２３との間に形成された間隙２５の気圧と、乗りかご２の室内空間の気圧を等しくすることができる。そして、内部側面パネル２３の内側と外側の気圧差が生じないため、乗りかご２の室内空間を囲む内装板７１が気圧の作用で撓まないようにすることができる。その結果、乗りかご２に搭乗した乗客に不安や違和感を与えることがない。
【００５３】
＜乗りかごの組立作業＞
次に、乗りかご２の組立作業について説明する。
乗りかご２を組み立てる場合は、まず、昇降路１００（図１参照）に、かご床２１を配置する。次に、複数の外部側面パネル２２をかご床２１に固定する。具体的には、外部側面パネル２２における外部下端金具３５の下板部５２をかご床２１にねじなどの固定手段を用いて固定する。
【００５４】
外部下端金具３５における金具本体４７の開口は、乗りかご２の室内空間側に向いている。そのため、作業者は、かご床２１に載った状態でかご床２１に対する外部側面パネル２２の位置を調整することができる。また、作業者は、かご床２１に載った状態で金具本体４７の内側に手を挿入して、かご床２１に対する外部側面パネル２２の固定作業を行うことができる。
【００５５】
次に、かご床２１における外部側面パネル２２よりも内側の所定の位置に、パネル支持部材９６を固定する。具体的には、基礎台９７をかご床２１にねじなどの固定手段を用いて固定する。
【００５６】
基礎台９７は略Ｃ字状に形成されており、基礎台９７の開口は、乗りかご２の室内空間側に向いている。そのため、作業者は、かご床２１に載った状態でかご床２１に対する基礎台９７の位置を調整することができる。また、作業者は、かご床２１に載った状態で基礎台９７の内側に手を挿入して、かご床２１に対する基礎台９７の固定作業を容易に行うことができる。
【００５７】
その後、複数のジスタントピース９５を介して複数の内部側面パネル２３のパネル本体６１をパネル支持部材９６に固定する。具体的には、パネル本体６１における内部下端金具７５の下板部９２を、パネル支持部材９６における基礎台９７の上部に、複数のジスタントピース９５を介して固定する。
【００５８】
ここで、作業者は、かご床２１に載った状態で基礎台９７の内側に手を挿入して、内側側面パネル２３と基礎台９７との固定作業を容易に行うことができる。その後、巾木９８を基礎台９７に締結材９９を用いて取り付ける。この作業においても、作業者は、かご床２１に載った状態で作業を容易に行うことができる。
【００５９】
続いて、複数の内部側面パネル２３を複数の外部側面パネル２２に固定する。具体的には、複数の内部側面パネル２３における連結部材６２のベース部６５を、パネル本体６１にねじなどの適当な固定手段を用いて固定する。そして、連結部材６２の複数の連結部６６を、複数の外部側面パネル２２における外部上端金具３４の連結片３８に、ねじなどの適当な固定手段を用いて固定する。
【００６０】
これにより、複数の内部側面パネル２３が、複数の外部側面パネル２２に固定に固定される。そして、複数の外部側面パネル２２と複数の内部側面パネル２３との間には、所定の長さの間隙２５が形成される。
【００６１】
次に、複数の外部側面パネル２２に天井パネル２４を固定する。具体的には、複数の外部側面パネル２２における外部上端金具３４の上板部４１を天井パネル２４の天井本体２６に、ねじなどの固定手段を用いて固定する。これにより、乗りかご２が組み立てられる。
【００６２】
外部上端金具３４における金具本体３７の開口は、乗りかご２の室内空間側に向いている。したがって、上述した通気口６８や連結部材６２の両側から金具本体３７の内側に手を挿入することができる。その結果、天井パネル２４に対する外部上端金具３４の固定は、かご床２１に載った状態で行うことができる。
【００６３】
内部側面パネル２３の内部下端金具７５を固定するパネル支持部材９６の基礎台９７は、鉛直方向の断面が略Ｃ字状に形成されている。そして、基礎台９７の開口は、乗りかご２の室内空間側に向いている。これにより、かご床２１に載った状態で、パネル支持部材９６の位置調整及び固定作業を行うことができる。また、内部側面パネル２３は、かご床２１に載った状態で、パネル支持部材９６に固定することができる。
【００６４】
また、内部側面パネル２３の上方部は、乗りかごに搭乗した乗客からは余り目にとまらないので、内部側面パネル２３の連結部材６２を設けても、美観性が損なわれることはない。一方、内部側面パネル２３の下方は乗客の目にとまり易い。そこで、本実施形態では、基礎台９７やジスタントピース９５の周りに形成された連通部分を隠すように、幅木９８を配置した。これにより、乗りかご２の室内の美観性を保持することができる。
【００６５】
さらに、内部側面パネル２３の連結部材６２は、パネル本体６１に着脱可能に構成されているため、パネル本体６１の上下方向の長さを外部側面パネル２２の上下方向の長さよりも短くすることができる。これにより、パネル本体６１と連結部材６２とを、複数の外部側面パネル２２の内側に搬入し易くすることできる。すなわち、扉用の開口部から複数の外部側面パネル２２の内側へパネル本体６１と連結部材６２とを簡単に搬入することができる。
【００６６】
上述した実施の形態では、内部側面パネル２３の下部を固定するためにパネル支持部材９６を使用した。そして、パネル支持部材９６と内部側面パネル２３との間に、ジスタントピース９５を介在させた。しかし、内部側面パネル２３は、直接かご床２１に固定する構造であってもよい。また、パネル支持部材９６は、基礎台９７と幅木９８から構成したが、一つの部材で構成してもよい。
【００６７】
また、上述した実施の形態では、内部側面パネル２３の下部を、パネル支持部材９６を介してかご床２１に固定する構成にした。しかし、本発明に係る乗りかごとしては、内部側面パネルの下部を、外部側面パネルの下部に固定する構成であってもよい。この場合においても、かご床に載った状態で、外部側面パネル及び内部側面パネルの組立作業を行うことができる。
【００６８】
また、上述した実施の形態では、内部側面パネル２３の連結部材６２を外部側面パネル２２の外部上端金具３４に固定した後に、天井パネル２４に外部側面パネル２２の外部上端金具３４に固定した。しかし、本発明の乗りかごとしては、天井パネル２４に外部側面パネル２２の外部上端金具３４に固定した後に、内部側面パネル２３の連結部材６２を外部側面パネル２２の外部上端金具３４に固定してもよい。
【００６９】
また、上述した実施の形態では、１つの内部側面パネル２３が１つの連結部材６２を有する構成とした。しかし、本発明に係る乗りかごとしては、内部側面パネルが複数の連結部材を有する構成であってもよい。
【００７０】
２.第２の実施形態
＜エレベータ装置＞
次に、第２の実施形態に係るエレベータ装置の構成について、図７及び図８を参照して説明する。
図７は、本発明の第２の実施形態に係るエレベータ装置の乗りかごの上部を示す拡大図である。図８は、第２の実施形態に係るエレベータ装置の乗りかごの上部を示す斜視図である。
【００７１】
図７及び図８に示す第２の実施形態に係るエレベータ装置２０１は、第１の実施形態に係るエレベータ装置１と同様の構成を有している。第２の実施形態に係るエレベータ装置２０１が、第１の実施形態に係るエレベータ装置１と異なる点は、内部側面パネルである。したがって、ここでは、第２の実施形態に係るエレベータ装置２０１における乗りかご２０２の内部側面パネル２２３について説明する。
【００７２】
図７及び図８に示すように、内部側面パネル２２３は、内装板７１と、複数の縦補強７２と、複数の横補強７３と、内部上端金具２７４と、内部下端金具（不図示）とを有している。内装板７１の高さ方向の長さは、外部側面パネル２２の高さ方向の長さよりも短い。
【００７３】
内部上端金具２７４は、金具本体２７７と、金具本体２７７に連続する固定片２７８と、複数の連結片２７９とを備えている。金具本体２７７は、鉛直方向の断面が略Ｃ字状に形成されており、上下方向に対向する上板部２８１及び下板部２８２と、上板部２８１及び下板部２８２を接続する接続板部２８３とを有している。
【００７４】
金具本体２７７の下板部２８２には、横補強７３がねじや溶接などの固定手段を用いて固定されており、接続板部２８３には、内装板７１がねじや溶接などの適当な固定手段を用いて固定されている。
【００７５】
固定片２７８は、金具本体２７７の下板部２８２に連続して下方に突出しており、接続板部２８３と平行な板状に形成されている。この固定片２７８は、複数の縦補強７２にねじや溶接などの固定手段を用いて固定されている。
【００７６】
複数の連結片２７９は、それぞれ金具本体２７７の上板部２８１に連続して上方に突出しており、接続板部２８３と平行な板状に形成されている。複数の連結片２７９は、上板部２８１の端面に沿って適当な距離をあけて並んでいる。複数の連結片２７９間には、間隙２５と乗りかご２の室内空間との間を連通する通気口２６８が形成されている。
【００７７】
各連結片２７９の一方の平面は、外部側面パネル２２における外部上端金具３４の連結片３８に当接している。そして、複数の連結片２７９は、外部上端金具３４の連結片３８にねじなどの適当な固定手段を用いて固定されている。
【００７８】
このような第２の実施形態に係る乗りかご２０２においても、第１の実施形態に係る乗りかご２と同じ効果を得ることができる。すなわち、乗りかご２０２における外部側面パネル２２及び内部側面パネル２２３は、かご床２１（図３参照）の乗った状態で組立作業を行うことができる。
なお、乗りかご２０２の組立作業は、第１の実施の形態に係る乗りかご２と同様であるため、説明を省略する。
【００７９】
また、第２の実施形態に係る乗りかご２０２においては、内部側面パネル２２３の内部上端金具２７４に複数の連結片２７９を設けた。すなわち、上端金具２７４の上板部２８１と連結片２７９とを一体に形成した。これにより、第１の実施形態に係る連結部材６２を設ける必要が無い。したがって、第２の実施形態に係るエレベータ装置２０１は、第１の実施形態のエレベータ装置１よりも部品点数を削減することができる。
【００８０】
また、第２の実施形態に係る乗りかご２０２においては、内部側面パネル２２３に複数の連結片２７９を設けた。しかし、本発明に係る内部側面パネルとしては、１つの連結片を有するものであってもよい。この場合は、連結片の幅方向の長さ（上板部の長辺に沿う長さ）を、上板部の長辺よりも短くする。これにより、連結片の両側に外部側面パネルと内部側面パネルとの間に形成された間隙と、乗りかごの室内空間との間を連通する連通部が形成される。
【００８１】
以上、本発明の乗りかご及びエレベータ装置の実施形態について、その作用効果も含めて説明した。しかしながら、本発明の乗りかご及びエレベータ装置は、上述の実施形態に限定されるものではなく、特許請求の範囲に記載した発明の要旨を逸脱しない範囲内で種々の変形実施が可能である。
また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【００８２】
例えば、上述の実施形態では、外部側面パネル２２の外部上端金具３４及び外部下端金具３５を略Ｃ字状に形成し、その開口が乗りかご２（２０２）の室内空間側に向けて配置している。これにより、かご床２１に載った状態で外部側面パネル２２をかご床２１及び天井パネル２４に固定することができる。
【００８３】
しかし、本発明に係る外部上端金具及び外部下端金具の形状としては、かご床２１に載った状態で外部側面パネルをかご床及び天井に固定することができる形状であれば、例えば、Ｌ字状など任意の形状を採用することができる。
【符号の説明】
【００８４】
１，２０１…エレベータ装置、  ２…乗りかご、  ３…釣合おもり、  ４…主ロープ、  ５…巻上機ユニット、  ６…プーリ、  ７…機械室、  ８…制御装置、  ９…補償ロープ、  １２，１３…スライダ、  １４…巻上機、  １５…綱車、  ２１…かご床、  ２２…外部側面パネル、  ２３，２２３…内部側面パネル、  ２４…天井パネル、  ２５…間隙、  ３１…側板、  ３２…縦補強、  ３３…横補強、  ３４…外部上端金具、  ３５…外部下端金具、  ６１…パネル本体、  ６２…連結部材、  ６５…ベース部、  ６６…連結部、  ６８，２６８…通気口、  ７１…内装板、  ７２…縦補強、  ７３…横補強、  ７４，２７４…内部上端金具、  ７５…内部下端金具、  ９５…ジスタントピース、  ９６…パネル支持部材、  ９７…基礎台、  ９８…幅木、  １００…昇降路、  １００ａ…天井面、  １００ｂ…底面
【図１】
0006280469.tif 000002
【図２】
0006280469.tif 000003
【図３】
0006280469.tif 000004
【図４】
0006280469.tif 000005
【図５】
0006280469.tif 000006
【図６】
0006280469.tif 000007
【図７】
0006280469.tif 000008
【図８】
0006280469.tif 000009